(57)【要約】【課題】乾燥運転における乾燥効率を向上させる。【解決手段】水冷除湿器は、循環ダクトを流れる空気に冷却水を散布して空気を除湿するように構成される。制御部は、遠心脱水工程期間において、ドラムの回転数が第１低回転数から高回転数に上昇する期間およびドラムの回転数が高回転数から第２低回転数に低下する期間のうち少なくとも一部の期間において水冷除湿器が冷却水を散布するように、水冷除湿器を制御する。【選択図】図５
2017121281.tif 000002
【特許請求の範囲】
【請求項１】
洗濯物を収容可能に構成されて回転可能に支持されたドラムと、
上記ドラム内から吸い込まれた空気が内部を流れて該ドラム内に吹き出されるように空気を循環させるための循環ダクトと、
上記循環ダクトの空気を搬送するように構成された送風機と、
上記循環ダクトに設けられて該循環ダクトを流れる空気に冷却水を散布して該空気を除湿するように構成された水冷除湿器と、
上記循環ダクトにおいて上記水冷除湿器の風下側に設けられ、該循環ダクトを流れる空気を加熱するように構成された加熱器と、
上記ドラムの回転数を第１低回転数から高回転数に上昇させ、該高回転数で該ドラムを回転させて遠心脱水を行い、該ドラムの回転数を該高回転数から第２低回転数に低下させる遠心脱水工程期間において、該ドラムの回転数が該第１低回転数から該高回転数に上昇する期間および該ドラムの回転数が該高回転数から該第２低回転数に低下する期間のうち少なくとも一部の期間において該水冷除湿器が冷却水を散布するように、該水冷除湿器を制御する制御部とを備えている
ことを特徴とする洗濯乾燥機。
【請求項２】
請求項１において、
上記制御部は、上記遠心脱水工程期間の開始時点から上記ドラムの回転数が上昇して第１回転数閾値となる第１時点までの期間を第１低回転期間とし、該ドラムの回転数が低下して第２回転数閾値となる第２時点から該遠心脱水工程期間の終了時点までの期間を第２低回転期間とし、該第１時点から該第２時点までの期間を第１高回転期間とした場合に、該第１および第２低回転期間のうち少なくとも一部の期間において上記水冷除湿器が基準散布量で冷却水を散布し、且つ、該第１高回転期間において該水冷除湿器による冷却水の散布量が該基準散布量よりも少なくなるように、該水冷除湿器を制御する
ことを特徴とする洗濯乾燥機。
【請求項３】
請求項２において、
上記第１および第２回転数閾値は、上記基準散布量が多くなるに連れて低くなるように設定される
ことを特徴とする洗濯乾燥機。
【請求項４】
請求項２または３において、
上記第１および第２回転数閾値は、上記洗濯物の重量が多くなるに連れて低くなるように設定される
ことを特徴とする洗濯乾燥機。
【請求項５】
請求項２〜４のいずれか１項において、
上記第２回転数閾値は、上記第１回転数閾値よりも高くなっている
ことを特徴とする洗濯乾燥機。
【請求項６】
請求項２〜５のいずれか１項において、
上記制御部は、上記遠心脱水工程期間において、該遠心脱水工程期間の開始時点から上記ドラムの回転数が上昇して第３回転数閾値となる第３時点までの期間を第３低回転期間とし、該ドラムの回転数が低下して第４回転数閾値となる第４時点から該遠心脱水工程期間の終了時点までの期間を第４低回転期間とし、該第３時点から該第４時点までの期間を第２高回転期間とした場合に、該第３および第４低回転期間のうち少なくとも一部の期間において上記送風機が第１送風量で空気を搬送し、且つ、該第２高回転期間において該送風機が該第１送風量よりも少ない第２送風量で空気を搬送するように、該送風機を制御する
ことを特徴とする洗濯乾燥機。
【請求項７】
請求項６において、
上記第３および第４回転数閾値は、上記第１送風量が多くなるに連れて低くなるように設定される
ことを特徴とする洗濯乾燥機。
【請求項８】
請求項６または７において、
上記第３および第４回転数閾値は、上記洗濯物の重量が多くなるに連れて低くなるように設定される
ことを特徴とする洗濯乾燥機。
【請求項９】
請求項２〜８のいずれか１項において、
上記制御部は、上記遠心脱水工程期間において、該遠心脱水工程期間の開始時点から上記ドラムの回転数が上昇して第５回転数閾値となる第５時点までの期間を第５低回転期間とし、該ドラムの回転数が低下して第６回転数閾値となる第６時点から該遠心脱水工程期間の終了時点までの期間を第６低回転期間とし、該第５時点から該第６時点までの期間を第３高回転期間とした場合に、該第５および第６低回転期間のうち少なくとも一部の期間において上記加熱器が第１加熱量で加熱し、且つ、該第３高回転期間において該加熱器が該第１加熱量よりも少ない第２加熱量で加熱するように、該加熱器を制御する
ことを特徴とする洗濯乾燥機。
【請求項１０】
請求項９において、
上記第５および第６回転数閾値は、上記第１加熱量が多くなるに連れて低くなるように設定される
ことを特徴とする洗濯乾燥機。
【請求項１１】
請求項９または１０において、
上記第５および第６回転数閾値は、上記洗濯物の重量が多くなるに連れて低くなるように設定される
ことを特徴とする洗濯乾燥機。
【発明の詳細な説明】
【技術分野】
【０００１】
この開示は、洗濯乾燥機に関する。
【背景技術】
【０００２】
従来、本体内に回転可能にドラムを内装する洗濯乾燥機が知られている。例えば、特許文献１には、ドラムを衣類の乾燥に適した速度で回転させるとともにドラムに加熱した空気を循環経路を通じて循環させてドラム内の衣類の乾燥を行うドラム式乾燥機が開示されている。このドラム式乾燥機は、冷却水による冷却除湿とドラムの高速回転による脱水を併用しながら乾燥を行うように構成されている。具体的には、特許文献１のドラム式乾燥機では、衣類の乾燥開始から循環する空気の温度が予め設定された設定温度に達するまでの間（または、衣類の乾燥開始から予め設定された設定時間が経過するまでの間）に、ドラムが脱水可能な速度で回転して衣類の脱水が行われる。そして、脱水終了後にドラムの回転が衣類の乾燥に適した速度に戻されるとともに、循環する空気の温度が設定温度に達した時点（または、設定時間が経過した時点）で循環する空気を循環経路において除湿するために冷却水の流水が開始されて冷却除湿による衣類の乾燥が行われる。
【先行技術文献】
【特許文献】
【０００３】
【特許文献１】特開２００２−３３６５９４号公報
【発明の概要】
【発明が解決しようとする課題】
【０００４】
しかしながら、上記のような洗濯乾燥機では、ドラムの高速回転による脱水が行われる期間（遠心脱水工程期間）が経過した後に冷却水を利用する冷却除湿（水冷除湿）が行われているが、遠心脱水工程期間中には水冷除湿が行われていない。そのため、乾燥運転における乾燥効率を向上させることが困難である。
【０００５】
そこで、この開示は、乾燥運転における乾燥効率を向上させることが可能な洗濯乾燥機を提供することを目的とする。
【課題を解決するための手段】
【０００６】
この開示の一つの態様による洗濯乾燥機は、洗濯物を収容可能に構成されて回転可能に支持されたドラムと、上記ドラム内から吸い込まれた空気が内部を流れて該ドラム内に吹き出されるように空気を循環させるための循環ダクトと、上記循環ダクトの空気を搬送するように構成された送風機と、上記循環ダクトに設けられて該循環ダクトを流れる空気に冷却水を散布して該空気を除湿するように構成された水冷除湿器と、上記循環ダクトにおいて上記水冷除湿器の風下側に設けられ、該循環ダクトを流れる空気を加熱するように構成された加熱器と、上記ドラムの回転数を第１低回転数から高回転数に上昇させ、該高回転数で該ドラムを回転させて遠心脱水を行い、該ドラムの回転数を該高回転数から第２低回転数に低下させる遠心脱水工程期間において、上記ドラムの回転数を第１低回転数から高回転数に上昇させ、該高回転数で該ドラムを回転させて遠心脱水を行い、該ドラムの回転数を該高回転数から第２低回転数に低下させる遠心脱水工程期間において、該ドラムの回転数が該第１低回転数から該高回転数に上昇する期間および該ドラムの回転数が該高回転数から該第２低回転数に低下する期間のうち少なくとも一部の期間において該水冷除湿器が冷却水を散布するように、該水冷除湿器を制御する制御部とを備えている。
【０００７】
上記洗濯乾燥機では、遠心脱水工程期間の一部（具体的には、ドラムの回転数が第１低回転数から高回転数に上昇する期間およびドラムの回転数が高回転数から第２低回転数に低下する期間のうち少なくとも一部の期間）において水冷除湿器による水冷除湿（冷却水の散布）を行うことにより、遠心脱水工程期間の一部においてドラム内における洗濯物の乾燥を促進させることができる。これにより、乾燥運転における乾燥効率を向上させることができる。
【発明の効果】
【０００８】
以上のように、乾燥運転における乾燥効率を向上させることができる。
【図面の簡単な説明】
【０００９】
【図１】実施形態１の洗濯乾燥機の構成例を示した概略断面図である。
【図２】実施形態１の洗濯乾燥機の細部について説明するための概略斜視図である。
【図３】実施形態１の洗濯乾燥機の細部について説明するためのブロック図である。
【図４】実施形態１の洗濯乾燥機の動作例を示したフローチャートである。
【図５】実施形態１の洗濯乾燥機の動作例を示したタイミングチャートである。
【図６】実施形態２の洗濯乾燥機の動作例を示したタイミングチャートである。
【発明を実施するための形態】
【００１０】
以下、実施の形態を図面を参照して詳しく説明する。なお、図中同一または相当部分には同一の符号を付しその説明は繰り返さない。
【００１１】
〔実施形態１〕
図１は、実施形態１による洗濯乾燥機１０の構成例を示している。洗濯乾燥機１０は、ケーシング１１と、水槽１２と、ドラム１３と、電動機２０と、循環ダクト３０と、送風機４０と、水冷除湿器５０と、加熱器６０と、コントローラ７０（制御部）とを備えている。
【００１２】
〈ケーシング〉
ケーシング１１は、中空の立方体状に形成されている。この例では、ケーシング１１の側壁（前面）には、洗濯物を投入するための開口部１１ａが形成され、開口部１１ａを開閉する扉１１ｂが設けられている。
【００１３】
〈水槽〉
水槽１２は、洗濯水を貯留可能に構成され、ケーシング１１の内部に弾性支持されている。この例では、水槽１２は、有底円筒状に形成され、その軸線が水平方向を向くように支持され、その開口端がケーシング１１の開口部１１ａと連通している。また、水槽１２の底壁には、後述する第１ダクト３１（循環ダクト３０の一部）を構成するための凹部１２ａが形成されている。この例では、凹部１２ａは、水槽１２の底壁の外周縁部に沿うように延びるＣ字状（具体的には、下方に開口するＣ字状）に形成されている。
【００１４】
〈ドラム〉
ドラム１３は、洗濯物を収容可能に構成され、水槽１２の内部に回転可能に支持されている。この例では、ドラム１３は、水槽１２よりも小径の有底円筒状に形成され、その回転軸線が水平方向を向くように支持され、その開口端がケーシング１１の開口部１１ａと連通している。また、ドラム１３の周壁には、多数の貫通孔１３ａが形成され、ドラム１３の底壁には、多数の貫通孔１３ｂが形成されている。
【００１５】
〈電動機〉
電動機２０は、ドラム１３を回転駆動させるように構成されている。また、電動機２０は、その回転数と回転方向を変更可能に構成されている。この例では、電動機２０は、水槽１２の底壁の外面に固定され、その駆動軸（回転軸）が水槽１２の底壁を貫通してドラム１３の底壁に連結されている。このような構成により、水槽１２の内部にドラム１３が回転可能に支持され、電動機２０の駆動軸とともにドラム１３が回転する。
【００１６】
〈循環ダクト〉
循環ダクト３０は、ドラム１３内から吸い込まれた空気が内部を流れてドラム１３内に吹き出されるように空気を循環させるためのダクト（空気経路）である。この例では、循環ダクト３０は、ドラム１３の底壁に面する第１ダクト３１と、水槽２０の上部に設けられた第２ダクト３２とを有している。第１ダクト３１は、水槽１２の凹部１２ａとドラム１３の底壁とによって構成されている。すなわち、水槽１２の凹部１２ａとドラム１３の底壁とに囲まれた空間が第１ダクト３１の内部空間を構成している。第２ダクト３２は、その入口側が第１ダクト３１の内部（具体的には、内部上方空間）と連通し、その出口側がドラム１３の内部（具体的には、ドラム１３の開口端の近傍）に開口している。
【００１７】
〈送風機〉
送風機４０は、循環ダクト３０（この例では、第２ダクト３２）に設けられ、循環ダクト３０の入口側から出口側へ向けて循環ダクト３０の空気を搬送するように構成されている。また、送風機４０は、その送風量（空気の搬送量）を変更可能に構成されている。例えば、送風機４０は、その回転数を変更可能なシロッコファンによって構成されている。
【００１８】
〈水冷除湿器〉
水冷除湿器５０は、循環ダクト３０（この例では、第２ダクト３２）に設けられ、循環ダクト３０を流れる空気に冷却水を散布して空気を除湿するように構成されている。この例では、水冷除湿器５０は、第１ダクト３１の内部上方空間において冷却水を散布するように構成されている。また、水冷除湿器５０は、冷却水の散布量を変更可能に構成されている。
【００１９】
この例では、水冷除湿器５０は、散布部５１と、給水管５２と、調節弁５３とを有している。散布部５１は、冷却水を散布するための部分であり、第１ダクト３１の内部（具体的には、内部上方空間）に配置される。この例では、散布部５１は、管状に形成されている。そして、散布部５１には、冷却水を噴射するための複数（この例では６つ）の散布孔が形成されている。給水管５２は、散布部５１に冷却水を供給するための配管であり、その流入端が冷却水の給水源（図示を省略）に接続され、その流出端が散布部５１に接続されている。調節弁５３は、給水管５２に設けられ、給水管５２を流れる冷却水の流量を調節するように構成されている。例えば、調節弁５３は、その開度を調節可能な電動弁によって構成されている。
【００２０】
〈加熱器〉
加熱器６０は、循環ダクト３０（この例では、第２ダクト３２）において水冷除湿器５０の風下側に設けられ、循環ダクト３０を流れる空気を加熱するように構成されている。また、加熱器６０は、その加熱量を変更可能に構成されている。例えば、加熱器６０は、その加熱量（容量）を変更可能な電気ヒータによって構成されている。
【００２１】
〈操作部と各種センサ〉
また、洗濯乾燥機１０には、操作部７１や各種センサ（回転数センサ７２や重量センサ７３など）が設けられている。図３に示すように、操作部７１と回転センサ７２と重量センサ７３は、コントローラ７０に接続されている。操作部７１は、洗濯乾燥機１０の操作者（ユーザ）により操作される部分であり、操作者による操作に応じた制御信号をコントローラ７０に出力する。例えば、操作部７１は、操作ボタンやタッチパネルによって構成されていてもよい。回転数センサ７２は、ドラム１３の回転数を検出して検出結果をコントローラ７０に出力するように構成されている。重量センサ７３は、ドラム１３に収容された洗濯物の重量を検出して検出結果をコントローラ７０に出力するように構成されている。
【００２２】
〈その他の構成〉
また、この例では、洗濯乾燥機１０には、給水管８１と、洗剤容器８２と、調節弁８３と、排水管８４と、排水ポンプ８５が設けられている。給水管８１は、水槽２０に洗濯水を供給するための配管である。洗剤容器８２は、洗剤を収容可能に構成され、給水管８１を通じて水槽２０に供給される洗濯水に洗剤を混合するように構成されている。調節弁８３は、給水管８１に設けられ、給水管８１を流れる洗濯水の流量を調節するように構成されている。排水管８５は、水槽２０に貯留された水をケーシング１１の外部に排出するための配管である。排水ポンプ８６は、排水管８５に設けられ、排水管８５において水槽２０からケーシング１１の外部へ向けて排水管８５の水を搬送するように構成されている。
【００２３】
〈コントローラ（制御部）〉
コントローラ７０は、操作部７１に与えられた操作や各種センサによる検出結果などに基づいて、洗濯乾燥機１０の各部を制御して洗濯乾燥機１０の運転動作を制御するように構成されている。具体的には、コントローラ７０は、電動機２０を制御してドラム１３の回転数や回転方向を制御し、送風機４０の回転数を制御して送風機４０の送風量（空気の搬送量）を制御し、水冷除湿器５０の調節弁５３の開度を制御して水冷除湿器５０（この例では散布部５１）における冷却水の散布量を制御し、加熱器６０の容量（電力）を制御して加熱器６０の加熱量を制御する。また、コントローラ７０は、調節弁８３の開度や排水ポンプ８５の駆動/停止などを制御する。例えば、コントローラ７０は、ＣＰＵやメモリなどによって構成されている。
【００２４】
〈運転動作〉
洗濯乾燥機１０は、洗濯物を洗濯する洗濯運転と、洗濯された洗濯物を乾燥させる乾燥運転とを行う。なお、この例では、洗濯乾燥機１０は、乾燥運転として第１乾燥運転および第２乾燥運転のいずれか一方を行う。具体的には、洗濯乾燥機１０では、洗濯運転が行われた後に、第１および第２乾燥運転のいずれか一方が選択されて行われる。なお、乾燥運転の選択動作については、後で詳しく説明する。
【００２５】
《洗濯運転》
洗濯運転では、水槽１２に洗濯水が供給されてドラム１２が所定の回転数および回転方向で回転する。具体的には、コントローラ７０は、送風機４０と水冷除湿器５０と加熱器６０を停止状態に設定する。また、コントローラ７０は、ドラム１２が所定の回転数および回転方向で回転するように電動機２０を制御してドラム１３の回転を制御し、調節弁８３の開度を適宜調節し、排水ポンプ８５の駆動/停止を適宜切り換える。
【００２６】
《第１乾燥運転》
第１乾燥運転では、洗濯物を予熱する予熱工程と、予熱された洗濯物を遠心脱水する遠心脱水工程と、遠心脱水後の洗濯物を乾燥させる乾燥工程とが行われる。
【００２７】
−予熱工程−
予熱工程では、コントローラ７０は、送風機４０と加熱器６０を駆動状態に設定し、水冷除湿器５０を停止状態（冷却水の散布を停止した状態）に設定する。また、コントローラ７０は、ドラム１３の回転数（以下「ドラム回転数Ｒ」と記載）が予め定められた第１低回転数ＲＬ１に維持されるように電動機２０を制御してドラム１３の回転を制御する。
【００２８】
予熱工程では、送風機４０と加熱器６０とを駆動させることにより、ドラム１３から循環ダクト３０に吸い込まれた空気が加熱器６０において加熱されて循環ダクト３０からドラム１３に吹き出すように、ドラム１３と循環ダクト３０において空気を循環させることができる。これにより、ドラム１３に収容された洗濯物を加熱することができる。
【００２９】
具体的には、図１において矢印で示すように、ドラム１３内の空気は、ドラム１３の底壁に形成された貫通孔１３ｂを通じて循環ダクト３０の一部である第１ダクト３１（すなわち、ドラム１３の底壁と水槽２０の底壁の凹部１２ａとに囲まれた空間）に吸い込まれる。第１ダクト３１に吸い込まれた空気は、下方から上方へ向けて第１ダクト３１内を流れて循環ダクト３０の一部である第２ダクト３２に吸い込まれる。第２ダクト３２に吸い込まれた空気は、送風機４０を通過して加熱器６０に流入し、加熱器６０において加熱される。第２ダクト３２において加熱器６０を通過した空気（加熱器６０において加熱された空気）は、ドラム１３の開口端側からドラム１３内に吹き出され、ドラム１３の開口端側から底壁側へ向けてドラム１３内を流れる。
【００３０】
また、予熱工程では、ドラム１３を低回転数で回転させることにより、ドラム１３に収容された洗濯物をほぐすことができる。すなわち、予熱工程では、ドラム１３を低回転数で回転させながら送風機４０と加熱器６０とを駆動させることにより、ドラム１３に収容された洗濯物をほぐしながら加熱することができる。このように、予熱工程においてドラム１３に収容された洗濯物を予熱することにより、洗濯物に含まれる水分の粘性を低下させることができるので、予熱工程の後に行われる遠心脱水工程において遠心力による洗濯物の脱水を促進させることができる。
【００３１】
−遠心脱水工程−
遠心脱水工程では、コントローラ７０は、送風機４０と加熱器６０を駆動状態に設定する。また、コントローラ７０は、ドラム回転数Ｒが第１低回転数ＲＬ１から予め定められた高回転数ＲＨに上昇して高回転数ＲＨに維持された後に、ドラム回転数Ｒが高回転数ＲＨから予め定められた第２低回転数ＲＬ２に低下するように、電動機２０を制御してドラム１３の回転を制御する。そして、コントローラ７０は、ドラム回転数Ｒに応じて水冷除湿器５０（具体的には、水冷除湿器５０における冷却水の散布量）を制御する。なお、遠心脱水工程における水冷除湿器５０の制御については、後で詳しく説明する。
【００３２】
遠心脱水工程では、ドラム１３を高回転数で回転させることにより、ドラム１３に収容された洗濯物に含まれる水分を遠心力によって洗濯物から分離させてドラム１３の貫通孔（この例では、ドラム１３の周壁に形成された貫通孔１３ａ）を通じて水槽１２に排出することができる。
【００３３】
−乾燥工程−
乾燥工程では、コントローラ７０は、送風機４０と加熱器６０を駆動状態に設定し、水冷除湿器５０を駆動状態（冷却水の散布が行われる状態）に設定する。また、コントローラ７０は、ドラム回転数Ｒが第２低回転数ＲＬ２に維持されるように、電動機２０を制御してドラム１３の回転を制御する。
【００３４】
乾燥工程では、送風機４０と水冷除湿器５０と加熱器６０とを駆動させることにより、ドラム１３から循環ダクト３０に吸い込まれた空気が水冷除湿器５０において除湿された後に加熱器６０において加熱されて循環ダクト３０からドラム１３に吹き出すように、ドラム１３と循環ダクト３０において空気を循環させることができる。このように、水冷除湿器５０を駆動させることにより、循環ダクト３０からドラム１３に吹き出される空気を乾燥させることができるので、ドラム１３に収容された洗濯物の乾燥を促進させることができる。
【００３５】
具体的には、図１において矢印で示すように、ドラム１３内の空気は、ドラム１３の底壁に形成された貫通孔１３ｂを通じて循環ダクト３０の一部である第１ダクト３１（すなわち、ドラム１３の底壁と水槽２０の底壁の凹部１２ａとに囲まれた空間）に吸い込まれる。第１ダクト３１に吸い込まれた空気は、下方から上方へ向けて第１ダクト３１内を流れる。なお、第１ダクト３１内を流れる空気は、水冷除湿器５０（この例では、散布部５１）から散布された冷却水によって冷却され、その空気中に含まれる水分が凝縮して除湿される。第１ダクト３１において水冷除湿器５０を通過した空気（水冷除湿器５０において除湿された空気）は、循環ダクト３０の一部である第２ダクト３２に吸い込まれる。第２ダクト３２に吸い込まれた空気は、送風機４０を通過して加熱器６０に流入し、加熱器６０において加熱される。第２ダクト３２において加熱器６０を通過した空気（加熱器６０において加熱された空気）は、ドラム１３の開口端側からドラム１３内に吹き出され、ドラム１３の開口端側から底壁側へ向けてドラム１３内を流れる。
【００３６】
《第２乾燥運転》
第２乾燥運転では、洗濯物を予熱する予熱工程と、予熱後の洗濯物を乾燥させる乾燥工程が行われる。第２乾燥運転における予熱工程および乾燥工程は、第１乾燥運転における予熱工程および乾燥工程と同様となっている。すなわち、第２乾燥運転における予熱工程では、コントローラ７０は、送風機４０と加熱器６０を駆動状態に設定し、水冷除湿器５０を停止状態に設定し、ドラム回転数Ｒが第１低回転数ＲＬ１に維持されるように電動機２０を制御してドラム１３の回転を制御する。第２乾燥運転における乾燥工程では、コントローラ７０は、送風機４０と加熱器６０と水冷除湿器５０を駆動状態に設定し、ドラム回転数Ｒが第２低回転数ＲＬ２に維持されるように電動機２０を制御してドラム１３の回転を制御する。なお、第２乾燥運転では、遠心脱水工程は行われない。
【００３７】
〈乾燥運転の選択動作〉
次に、図４を参照して、洗濯乾燥機１０において洗濯運転の後に行われる乾燥運転の選択動作について説明する。洗濯乾燥機１０では、洗濯運転の後に、第１および第２乾燥運転のうち選択動作において選択された乾燥運転が行われる。
【００３８】
《ステップＳＴ１１，ＳＴ１２》
まず、重量センサ７３は、ドラム１３に収容された洗濯物の重量を検出する。次に、コントローラ７０は、ドラム１３によって検出された洗濯重量（洗濯物の重量）が予め定められた重量閾値よりも大きいか否かを判定する。洗濯重量が重量閾値よりも大きい場合には、ステップＳＴ１３へ進み、そうでない場合には、ステップＳＴ１５へ進む。
【００３９】
《ステップＳＴ１３》
ステップＳＴ１２において洗濯重量が重量閾値よりも大きいと判定された場合、コントローラ７０は、洗濯重量に応じて後述する回転数閾値を設定する。なお、洗濯重量に応じた回転数閾値の設定については、後で詳しく説明する。
【００４０】
《ステップＳＴ１４》
次に、コントローラ７０は、洗濯乾燥機１０において第１乾燥運転が行われるように洗濯乾燥機１０の各部を制御する。
【００４１】
《ステップＳＴ１５》
一方、ステップＳＴ１２において洗濯重量が重量閾値よりも大きくないと判定された場合、コントローラ７０は、洗濯乾燥機１０において第２乾燥運転が行われるように洗濯乾燥機１０の各部を制御する。
【００４２】
〈第１乾燥運転における各部の制御〉
次に、図５を参照して、実施形態１の第１乾燥運転における各部の制御について説明する。図５において、時刻ｔ０から時刻ｔ１１までの期間は、予熱工程が行われる期間（予熱工程期間Ｐ１１）に相当する。時刻ｔ１１から時刻ｔ１４までの期間は、遠心脱水工程が行われる期間（遠心脱水工程期間Ｐ１２）に相当する。時刻ｔ１４以後の期間は、乾燥工程が行われる期間（乾燥工程期間Ｐ１３）に相当する。また、遠心脱水工程期間Ｐ１２のうち、時刻ｔ１１から時刻ｔ１２までの期間は、ドラム回転数Ｒが第１低回転数ＲＬ１から高回転数ＲＨに次第に上昇する期間（回転数上昇期間Ｐ２１）に相当し、時刻ｔ１２から時刻ｔ１３までの期間は、ドラム回転数Ｒが高回転数ＲＨに維持される期間（回転数維持期間Ｐ２２）に相当し、時刻ｔ１３から時刻ｔ１４までの期間は、ドラム回転数Ｒが高回転数ＲＨから第２低回転数ＲＬ２に次第に低下する期間（回転数低下期間Ｐ２３）に相当する。
【００４３】
また、以下の説明では、遠心脱水工程期間Ｐ１２の開始時点からドラム回転数Ｒが上昇して予め定められた第１回転数閾値Ｒｔｈ１となる第１時点までの期間（図５における時刻ｔ１１から時刻ｔ１までの期間）を「第１低回転期間Ｐ１」とする。また、遠心脱水工程期間Ｐ１２においてドラム回転数Ｒが低下して予め定められた第２回転数閾値Ｒｔｈ２となる第２時点から遠心脱水工程期間Ｐ１２の終了時点までの期間（図５における時刻ｔ２から時刻ｔ１４までの期間）を「第２低回転期間Ｐ２」とする。また、遠心脱水工程期間Ｐ１２において第１時点から第２時点までの期間（図５における時刻ｔ１から時刻ｔ２までの期間）を「第１高回転期間Ｐ１０」とする。
【００４４】
なお、第１および第２低回転数ＲＬ１，ＲＬ２は、高回転数ＲＨよりも低い回転数に設定されている。例えば、第１低回転数ＲＬ１，ＲＬ２は、洗濯物をほぐすことが可能な回転数に設定され、高回転数ＲＨは、遠心力により洗濯物を脱水することが可能な回転数（例えば１２００ｒｐｍ）に設定されている。第１および第２回転数閾値Ｒｔｈ１，Ｒｔｈ２は、第１および第２低回転数ＲＬ１，ＲＬ２よりも高く高回転数ＲＨよりも低い回転数に設定されている。この例では、第１および第２低回転数ＲＬ１，ＲＬ２は、互いに同一の回転数に設定され、第１および第２回転数閾値Ｒｔｈ１，Ｒｔｈ２は、互いに同一の回転数（例えば８００ｒｐｍ）に設定されている。
【００４５】
《予熱工程期間》
予熱工程期間Ｐ１１において、コントローラ７０は、送風機４０および加熱器６０を駆動状態に設定する。具体的には、コントローラ７０は、送風機４０の送風量が予め定められた第１送風量となるように送風機４０を制御し、加熱器６０の加熱量が予め定められた第１加熱量となるように加熱器６０を制御する。
【００４６】
また、予熱工程期間Ｐ１１において、コントローラ７０は、ドラム回転数Ｒが第１低回転数ＲＬ１に維持されるように、ドラム１３の回転を制御する。また、コントローラ７０は、水冷除湿器５０を停止状態（冷却水の散布を停止した状態）に設定する。
【００４７】
《遠心脱水工程期間》
遠心脱水工程期間Ｐ１２において、コントローラ７０は、送風機４０および加熱器６０を駆動状態に設定する。具体的には、コントローラ７０は、送風機４０の送風量が第１送風量となるように送風機４０を制御し、加熱器６０の加熱量が第１加熱量となるように加熱器６０を制御する。
【００４８】
また、遠心脱水工程期間Ｐ１２において、コントローラ７０は、回転数上昇期間Ｐ２１においてドラム回転数Ｒが第１低回転数ＲＬ１から高回転数ＲＨに次第に上昇し、回転数維持期間Ｐ２２においてドラム回転数Ｒが高回転数ＲＨに維持され、回転数低下期間Ｐ２３においてドラム回転数Ｒが高回転数ＲＨから第２低回転数ＲＬ２に次第に低下するように、ドラム１３の回転を制御する。
【００４９】
また、遠心脱水工程期間Ｐ１２において、コントローラ７０は、第１低回転期間Ｐ１および第２低回転期間Ｐ２のうち少なくとも一部の期間において水冷除湿器５０が予め定められた基準散布量で冷却水を散布し、且つ、第１高回転期間Ｐ１０において水冷除湿器５０による冷却水の散布量が基準散布量よりも少なくなるように、水冷除湿器５０を制御する。この例では、コントローラ７０は、第１低回転期間Ｐ１および第２低回転期間Ｐ２の全期間において水冷除湿器５０が基準散布量で冷却水を散布し、且つ、第１高回転期間Ｐ１０において水冷除湿器５０が停止状態となるように、水冷除湿器５０を制御する。
【００５０】
《乾燥工程》
乾燥工程Ｐ１３において、コントローラ７０は、送風機４０および加熱器６０を駆動状態に設定する。具体的には、コントローラ７０は、送風機４０の送風量が第１送風量となるように送風機４０を制御し、加熱器６０の加熱量が第１加熱量となるように加熱器６０を制御する。
【００５１】
また、乾燥工程Ｐ１３において、コントローラ７０は、ドラム回転数Ｒが第２低回転数ＲＬ２に維持されるように、ドラム１３の回転を制御する。また、コントローラ７０は、水冷除湿器５０を駆動状態に設定する。具体的には、コントローラ７０は、水冷除湿器５０が基準散布量で冷却水を散布するように、水冷除湿器５０を制御する。
【００５２】
〈効果〉
以上のように、遠心脱水工程期間Ｐ１２の一部（具体的には、ドラム１３の回転数が第１低回転数ＲＬ１から高回転数ＲＨに上昇する回転数上昇期間Ｐ２１およびドラム１３の回転数が高回転数ＲＨから第２低回転数ＲＬ２に低下する回転数低下期間Ｐ２３のうち少なくとも一部の期間）において水冷除湿器５０による水冷除湿（冷却水の散布）を行うことにより、遠心脱水工程期間Ｐ１２の一部においてドラム１３内における洗濯物の乾燥を促進させることができる。これにより、乾燥運転における乾燥効率を向上させることができる。
【００５３】
〈ドラムの回転運動に起因する現象〉
次に、ドラム１３の回転運動に起因する現象について説明する。本願発明者は、鋭意研究の結果、洗濯乾燥機１０において次のような現象が発生していることを見出した。
【００５４】
すなわち、洗濯乾燥機１０では、ドラム１３の回転数が高くなるに連れて、循環ダクト３０からドラム１３内へ吸い込まれる空気（以下「ドラム吸込空気」と記載）の流量が増加する傾向にある。これは、ドラム１３の回転運動に起因して循環ダクト３０からドラム１３内へ流れ込む空気の流れ（以下「ドラム気流」と記載）が発生し、ドラム１３の回転数が高くなるに連れてドラム気流の流量が増加する傾向にあることが原因の一つであると考えられる。なお、ドラム気流の具体例としては、ドラム１３の回転運動に起因して循環ダクト３０の出口側（この例では第２ダクト３２）からドラム１３内へ向けて流れる空気の流れであるドラム順気流（ドラム１３および循環ダクト３０における空気の循環方向と同方向に流れて空気の循環を促進させる空気の流れ）と、ドラム１３の回転運動に起因して循環ダクト３０の入口側（この例では第１ダクト３１）からドラム１３内へ向けて流れる空気の流れであるドラム逆気流（ドラム１３および循環ダクト３０における空気の循環方向とは逆方向の空気の流れ）とが考えられる。
【００５５】
また、洗濯乾燥機１０では、ドラム１３の回転中に水冷除湿（冷却水の散布）が行われると、その冷却水の一部がドラム吸込空気によって循環ダクト３０からドラム１３内へ吸い込まれることになる。そして、ドラム１３の回転数が高くなるに連れて、ドラム吸込空気の流量が増加してドラム吸込空気によって循環ダクト３０からドラム１３内へ搬送される水分の量〈以下「ドラム吸込水分量」と記載〉が増加し、その結果、ドラム吸込水分量が許容量を超えてドラム１３内における洗濯物の乾燥が阻害され、乾燥運転における乾燥効率が低下する可能性がある。
【００５６】
なお、ドラム吸込水分量は、ドラム吸込空気の流量とドラム吸込空気に付与される水分の量とに依存している。すなわち、ドラム吸込空気の流量が多くなるに連れてドラム吸込水分量が多くなる傾向にあり、ドラム吸込空気に付与される水分の量が多くなるに連れてドラム吸込水分量が多くなる傾向にある。
【００５７】
また、ドラム吸込空気の流量は、ドラム気流の流量に依存している。すなわち、ドラム気流の流量が多くなるに連れてドラム吸込空気の流量が多くなる傾向にある。また、ドラム気流の流量は、ドラム１３の回転数に依存している。すなわち、ドラム１３の回転数が高くなるに連れてドラム吸込空気の流量が多くなる傾向にある。
【００５８】
また、ドラム吸込空気に付与される水分の量は、水冷除湿器５０における冷却水の散布量に依存している。すなわち、水冷除湿器５０における冷却水の散布量が多くなるに連れてドラム吸込空気に付与される水分の量が多くなる傾向にある。
【００５９】
〈水冷除湿の制御による効果〉
実施形態１による洗濯乾燥機１０では、第１および第２低回転期間Ｐ１，Ｐ２のうち少なくとも一部の期間（この例では全期間）において水冷除湿器２０が基準散布量で冷却水を散布する。なお、第１および第２低回転期間Ｐ１，Ｐ２では、ドラム１３の回転数が比較的に低くなっているので、ドラム気流の流量が比較的に少なくなってドラム吸込空気の流量が比較的に少なくなる傾向にある。そのため、第１および第２低回転期間Ｐ１，Ｐ２において、水冷除湿器５０が基準散布量で冷却水を散布してドラム吸込空気に付与される水分の量が増加したとしても、ドラム吸込空気の流量が比較的に少なくなる傾向にあるので、ドラム吸込水分量は増加しにくい。したがって、第１および第２低回転期間Ｐ１，Ｐ２において、水冷除湿器５０による水冷除湿によってドラム１３内における洗濯物の乾燥を効果的に促進させることができる。
【００６０】
また、実施形態１による洗濯乾燥機１０では、第１高回転期間Ｐ１０において水冷除湿器５０による冷却水の散布量が基準散布量よりも少なくなる（この例ではゼロになる）。なお、第１高回転期間Ｐ１０では、ドラム１３の回転数が比較的に高くなっているので、ドラム気流の流量が比較的に多くなってドラム吸込空気の流量が比較的に多くなる傾向にある。したがって、第１高回転期間Ｐ１０において、水冷除湿器５０による冷却水の散布量を基準散布量よりも少なくすることにより、ドラム気流の流量増加に起因するドラム吸込水分量の増加を抑制することができる。これにより、第１高回転期間Ｐ１０において、ドラム吸込水分量が許容量を超えないようにしてドラム１３内における洗濯物の乾燥が阻害されないようにすることができる。
【００６１】
以上のように、実施形態１による洗濯乾燥機１０では、第１および第２低回転期間Ｐ１，Ｐ２において水冷除湿器５０による水冷除湿によってドラム１３内における洗濯物の乾燥を効果的に促進させることができるとともに、第１高回転期間Ｐ１０においてドラム吸込水分量が許容量を超えないようにしてドラム１３内における洗濯物の乾燥が阻害されないようにすることができるので、乾燥運転における乾燥効率を向上させることができる。
【００６２】
〈洗濯重量に応じた第１および第２回転数閾値の設定〉
実施形態１において、第１および第２回転数閾値Ｒｔｈ１，Ｒｔｈ２は、洗濯重量が多くなるに連れて低くなるように設定されていてもよい。具体的には、図４に示されたステップＳＴ１３において、コントローラ７０は、洗濯重量が多くなるに連れて第１および第２回転数閾値Ｒｔｈ１，Ｒｔｈ２が低くなるように、洗濯重量に応じて第１および第２回転数閾値Ｒｔｈ１，Ｒｔｈ２を補正するように構成されていてもよい。
【００６３】
なお、上述のとおり、ドラム吸込水分量は、ドラム吸込空気の流量とドラム吸込空気に付与される水分の量とに依存している。ドラム吸込空気の流量は、ドラム気流の流量に依存し、ドラム気流の流量は、ドラム１３の回転数に依存している。すなわち、ドラム１３の回転数が高くなるに連れてドラム吸込水分量が多くなる傾向にあり、ドラム吸込空気に付与される水分の量が多くなるに連れてドラム吸込水分量が多くなる傾向にある。
【００６４】
また、ドラム吸込空気に付与される水分の量は、水冷除湿器５０における冷却水の散布量だけでなく、洗濯重量にも依存している。すなわち、洗濯乾燥機１０では、遠心力により洗濯物から分離された水分の一部が循環ダクト３０（この例では第１ダクト３１）を流れる空気に付与される傾向にある。そして、洗濯重量が多くなるに連れて、遠心力による洗濯物の脱水量が多くなり、その結果、ドラム吸込空気に付与される水分の量が多くなる傾向にある。
【００６５】
また、第１および第２回転数閾値Ｒｔｈ１，Ｒｔｈ２は、第１および第２低回転期間Ｐ１，Ｐ２におけるドラム１３の回転数の最高値にそれぞれ対応している。すなわち、第１および第２回転数閾値Ｒｔｈ１，Ｒｔｈ２が低くなるに連れて、第１および第２低回転期間Ｐ１，Ｐ２におけるドラム１３の回転数が低くなる。
【００６６】
したがって、洗濯重量が多くなるに連れて第１および第２回転数閾値Ｒｔｈ１，Ｒｔｈ２が低くなるように、第１および第２回転数閾値Ｒｔｈ１，Ｒｔｈ２を設定することにより、第１および第２低回転期間Ｐ１，Ｐ２において洗濯重量の増加に起因するドラム吸込水分量の増加を抑制することができる。これにより、第１および第２低回転期間Ｐ１，Ｐ２において洗濯重量の増加に起因する乾燥効率の低下を抑制することができる。
【００６７】
〈基準散布量に応じた第１および第２回転数閾値の設定〉
実施形態１において、第１および第２回転数閾値Ｒｔｈ１，Ｒｔｈ２は、基準散布量が多くなるに連れて低くなるように設定されていてもよい。例えば、コントローラ７０は、基準散布量が多くなるに連れて第１および第２回転数閾値Ｒｔｈ１，Ｒｔｈ２が低くなるように、基準散布量に応じて第１および第２回転数閾値Ｒｔｈ１，Ｒｔｈ２を設定するように構成されていてもよい。
【００６８】
なお、上述のように、ドラム吸込水分量は、ドラム吸込空気の流量とドラム吸込空気に付与される水分の量とに依存している。ドラム吸込空気の流量は、ドラム気流の流量に依存し、ドラム気流の流量は、ドラム１３の回転数に依存している。また、ドラム吸込空気に付与される水分の量は、水冷除湿器５０における冷却水の散布量に依存している。すなわち、ドラム１３の回転数が高くなるに連れてドラム吸込水分量が多くなる傾向にあり、水冷除湿器５０における冷却水の散布量が多くなるに連れてドラム吸込水分量が多くなる傾向にある。
【００６９】
また、基準散布量は、第１および第２低回転期間Ｐ１，Ｐ２のうち少なくとも一部の期間（この例では全期間）における水冷除湿器５０の冷却水の散布量に対応している。すなわち、基準散布量が多くなるに連れて、第１および第２低回転期間Ｐ１，Ｐ２のうち少なくとも一部の期間（この例では全期間）における水冷除湿器５０の冷却水の散布量が多くなる。
【００７０】
また、第１および第２回転数閾値Ｒｔｈ１，Ｒｔｈ２は、第１および第２低回転期間Ｐ１，Ｐ２におけるドラム１３の回転数の最高値にそれぞれ対応している。すなわち、第１および第２回転数閾値Ｒｔｈ１，Ｒｔｈ２が低くなるに連れて、第１および第２低回転期間Ｐ１，Ｐ２におけるドラム１３の回転数が低くなる。
【００７１】
したがって、基準散布量が多くなるに連れて第１および第２回転数閾値Ｒｔｈ１，Ｒｔｈ２が低くなるように、第１および第２回転数閾値Ｒｔｈ１，Ｒｔｈ２を設定することにより、第１および第２低回転期間Ｐ１，Ｐ２において水冷除湿器５０の冷却水の散布量の増加に起因するドラム吸込水分量の増加を抑制することができる。これにより、第１および第２低回転期間Ｐ１，Ｐ２において水冷除湿器５０の冷却水の散布量の増加に起因する乾燥効率の低下を抑制することができる。
【００７２】
〈第１および第２回転数閾値〉
以上の説明では、第１および第２回転数閾値Ｒｔｈ１，Ｒｔｈ２が互いに同一の回転数に設定されている場合を例に挙げたが、第１および第２回転数閾値Ｒｔｈ１，Ｒｔｈ２は、互いに異なる回転数に設定されていてもよい。例えば、第２回転数閾値Ｒｔｈ２は、第１回転数閾値Ｒｔｈ１よりも高くなっていてもよい。
【００７３】
遠心脱水工程期間Ｐ１２では、加熱器６０の継続的な加熱により、回転数低下期間Ｐ２３における洗濯物の温度は、回転数上昇期間Ｐ２１における洗濯物の温度よりも高くなる傾向にある。したがって、回転数低下期間Ｐ２３では、回転数上昇期間Ｐ２１よりも、洗濯物に含まれる水分の粘性が低下しているので、遠心力により洗濯物を容易に脱水することができる。
【００７４】
なお、第１回転数閾値Ｒｔｈ１よりも高くなるように第２回転数閾値Ｒｔｈ２を設定すると、第２低回転期間Ｐ２におけるドラム１３の回転数が第１低回転期間におけるドラムの回転数よりも高くなり、その結果、ドラム気流の流量が多くなってドラム吸込空気の流量が多くなる傾向にある。しかしながら、第２低回転期間Ｐ２では、遠心力により洗濯物を容易に脱水することができるので、ドラム吸込空気の流量が増加してドラム吸込水分量が増加したとしても乾燥効率は低下しにくい。
【００７５】
また、第１回転数閾値Ｒｔｈ１よりも高くなるように第２回転数閾値Ｒｔｈ２を設定することにより、第１および第２回転数閾値Ｒｔｈ１，Ｒｔｈ２が互いに同一の回転数に設定されている場合よりも、第２低回転期間Ｐ２を長くすることができる。これにより、第２低回転期間Ｐ２において水冷除湿器５０による水冷除湿を効果的に行うことができる。
【００７６】
〔実施形態２〕
実施形態２による洗濯乾燥機１０は、第１乾燥運転における送風機４０および加熱器６０の制御が実施形態１による洗濯乾燥機１０と異なっている。なお、実施形態２のその他の構成は、実施形態１と同様となっている。
【００７７】
〈第１乾燥運転における各部の制御〉
次に、図６を参照して、実施形態２の第１乾燥運転における各部の制御について説明する。なお、実施形態２の第１乾燥運転における各部の制御は、遠心脱水工程期間Ｐ１２における送風機４０および加熱器６０の制御が実施形態１と異なっている。実施形態２の第１乾燥運転におけるドラム１３および水冷除湿器５０の制御は、実施形態１と同様となっている。
【００７８】
また、以下の説明では、遠心脱水工程期間Ｐ１２の開始時点からドラム回転数Ｒが上昇して予め定められた第３回転数閾値Ｒｔｈ３となる第３時点までの期間（図６における時刻ｔ１１から時刻ｔ３までの期間）を「第３低回転期間Ｐ３」とする。また、遠心脱水工程期間Ｐ１２においてドラム回転数Ｒが低下して予め定められた第４回転数閾値Ｒｔｈ４となる第４時点から遠心脱水工程期間Ｐ１２の終了時点までの期間（図６における時刻ｔ４から時刻ｔ１４までの期間）を「第４低回転期間Ｐ４」とする。また、遠心脱水工程期間Ｐ１２において第３時点から第４時点までの期間（図６における時刻ｔ３から時刻ｔ４までの期間）を「第２高回転期間Ｐ２０」とする。
【００７９】
なお、第３および第４回転数閾値Ｒｔｈ３，Ｒｔｈ４は、第１および第２低回転数ＲＬ１，ＲＬ２よりも高く高回転数ＲＨよりも低い回転数に設定されている。この例では、第３および第４回転数閾値Ｒｔｈ３，Ｒｔｈ４は、互いに同一の回転数に設定されている。
【００８０】
また、以下の説明では、遠心脱水工程期間Ｐ１２の開始時点からドラム回転数Ｒが上昇して予め定められた第５回転数閾値Ｒｔｈ５となる第５時点までの期間（図６における時刻ｔ１１から時刻ｔ５までの期間）を「第５低回転期間Ｐ５」とする。また、遠心脱水工程期間Ｐ１２においてドラム回転数Ｒが低下して予め定められた第６回転数閾値Ｒｔｈ６となる第６時点から遠心脱水工程期間Ｐ１２の終了時点までの期間（図６における時刻ｔ６から時刻ｔ１４までの期間）を「第６低回転期間Ｐ６」とする。また、遠心脱水工程期間Ｐ１２において第５時点から第６時点までの期間（図６における時刻ｔ５から時刻ｔ６までの期間）を「第３高回転期間Ｐ３０」とする。
【００８１】
なお、第５および第６回転数閾値Ｒｔｈ５，Ｒｔｈ６は、第１および第２低回転数ＲＬ１，ＲＬ２よりも高く高回転数ＲＨよりも低い回転数に設定されている。この例では、第５および第６回転数閾値Ｒｔｈ５，Ｒｔｈ６は、互いに同一の回転数に設定されている。
【００８２】
《遠心脱水工程期間》
遠心脱水工程期間Ｐ１２において、コントローラ７０は、第３低回転期間Ｐ３および第４低回転期間Ｐ４のうち少なくとも一部の期間において送風機４０が第１送風量で空気を搬送し、且つ、第２高回転期間Ｐ２０において送風機４０が第１送風量よりも少ない第２送風量で空気を搬送するように、送風機４０を制御する。この例では、コントローラ７０は、第３低回転期間Ｐ３および第４低回転期間Ｐ４の全期間において送風機４０が第１送風量で空気を搬送し、且つ、第２高回転期間Ｐ２０において送風機４０が第２送風量（例えば、第１送風量の５０％程度の送風量）で空気を搬送するように、送風機４０を制御する。
【００８３】
また、遠心脱水工程期間Ｐ１２において、コントローラ７０は、第５低回転期間Ｐ５および第６低回転期間Ｐ６のうち少なくとも一部の期間において加熱器６０が第１加熱量で加熱し、且つ、第３高回転期間Ｐ３０において加熱器６０が第１加熱量よりも少ない第２加熱量で加熱するように、加熱器６０を制御する。この例では、コントローラ７０は、第５低回転期間Ｐ５および第６低回転期間Ｐ６の全期間において加熱器６０が第１加熱量で加熱し、且つ、第３高回転期間Ｐ３０において加熱器６０が第２加熱量（例えば、第１加熱量の６０％程度の加熱量）で加熱するように、加熱器６０を制御する。
【００８４】
〈ドラムの回転運動に起因する現象〉
上述のように、洗濯乾燥機１０では、ドラム１３の回転数が高くなるに連れて、ドラム吸込空気（循環ダクト３０からドラム１３内へ吸い込まれる空気）の流量が増加する傾向にある。また、ドラム吸込水分量（ドラム吸込空気によって循環ダクト３０からドラム１３内へ搬送される水分の量）は、ドラム吸込空気の流量とドラム吸込空気に付与される水分の量とに依存している。すなわち、ドラム吸込空気の流量が多くなるに連れてドラム吸込水分量が多くなる傾向にあり、ドラム吸込空気に付与される水分の量が多くなるに連れてドラム吸込水分量が多くなる傾向にある。
【００８５】
なお、ドラム吸込空気の流量は、ドラム気流の流量だけでなく、送風機４０の送風量にも依存している。すなわち、ドラム気流の流量が多くなるに連れてドラム吸込空気の流量が多くなる傾向にあり、送風機４０の送風量が多くなるに連れてドラム吸込空気の流量が多くなる傾向にある。
【００８６】
〈送風制御による効果〉
実施形態２による洗濯乾燥機１０では、第３および第４低回転期間Ｐ３，Ｐ４のうち少なくとも一部の期間（この例では全期間）において送風機４０が第１送風量で空気を搬送する。なお、第３および第４低回転期間Ｐ３，Ｐ４では、ドラム１３の回転数が比較的に低くなっているので、ドラム気流の流量が比較的に少なくなる傾向にある。そのため、第３および第４低回転期間Ｐ３，Ｐ４において、送風機４０が第１送風量で空気を搬送して送風機４０の送風量が比較的に多くなったとしても、ドラム気流の流量が比較的に少なくなる傾向にあるので、ドラム吸込空気の流量は多くなりにくい。したがって、第３および第４低回転期間Ｐ３，Ｐ４において、送風機４０の送風量を確保してドラム１３内における洗濯物の乾燥を適切に行うことができる。
【００８７】
また、実施形態２による洗濯乾燥機１０では、第２高回転期間Ｐ２０において送風機４０が第１送風量よりも少ない第２送風量で空気を搬送する。なお、第２高回転期間Ｐ２０では、ドラム１３の回転数が比較的に高くなっているので、ドラム気流の流量が比較的に多くなる傾向にある。したがって、第２高回転期間Ｐ２０において、送風機４０の送風量を第１送風量よりも少ない第２送風量にすることにより、ドラム気流の流量増加に起因するドラム吸込空気の流量増加を抑制してドラム吸込水分量の増加を抑制することができる。これにより、第２高回転期間Ｐ２０において、ドラム吸込水分量が許容量を超えないようにしてドラム１３内における洗濯物の乾燥が阻害されないようにすることができる。
【００８８】
以上のように、実施形態２による洗濯乾燥機１０では、第３および第４低回転期間Ｐ３，Ｐ４において送風機４０の送風量を確保してドラム１３内における洗濯物の乾燥を適切に行うことができるとともに、第２高回転期間Ｐ２０においてドラム吸込水分量が許容量を超えないようにしてドラム１３内における洗濯物の乾燥が阻害されないようにすることができるので、乾燥運転における乾燥効率を向上させることができる。
【００８９】
〈洗濯重量に応じた第３および第４回転数閾値の設定〉
実施形態２において、第３および第４回転数閾値Ｒｔｈ３，Ｒｔｈ４は、洗濯重量が多くなるに連れて低くなるように設定されていてもよい。具体的には、図４に示されたステップＳＴ１３において、コントローラ７０は、洗濯重量が多くなるに連れて第３および第４回転数閾値Ｒｔｈ３，Ｒｔｈ４が低くなるように、洗濯重量に応じて第３および第４回転数閾値Ｒｔｈ３，Ｒｔｈ４を補正するように構成されていてもよい。
【００９０】
なお、上述のとおり、ドラム吸込水分量は、ドラム吸込空気の流量とドラム吸込空気に付与される水分の量とに依存している。ドラム吸込空気の流量は、ドラム気流の流量に依存し、ドラム気流の流量は、ドラム１３の回転数に依存している。すなわち、ドラム１３の回転数が高くなるに連れてドラム吸込水分量が多くなる傾向にあり、ドラム吸込空気に付与される水分の量が多くなるに連れてドラム吸込水分量が多くなる傾向にある。
【００９１】
また、ドラム吸込空気に付与される水分の量は、水冷除湿器５０における冷却水の散布量だけでなく、洗濯重量にも依存している。すなわち、洗濯乾燥機１０では、遠心力により洗濯物から分離された水分の一部が循環ダクト３０（この例では第１ダクト３１）を流れる空気に付与される傾向にある。そして、洗濯重量が多くなるに連れて、遠心力による洗濯物の脱水量が多くなり、その結果、ドラム吸込空気に付与される水分の量が多くなる傾向にある。
【００９２】
また、第３および第４回転数閾値Ｒｔｈ３，Ｒｔｈ４は、第３および第４低回転期間Ｐ３，Ｐ４におけるドラム１３の回転数の最高値にそれぞれ対応している。すなわち、第３および第４回転数閾値Ｒｔｈ３，Ｒｔｈ４が低くなるに連れて、第３および第４低回転期間Ｐ３，Ｐ４におけるドラム１３の回転数が低くなる。
【００９３】
したがって、洗濯重量が多くなるに連れて第３および第４回転数閾値Ｒｔｈ３，Ｒｔｈ４が低くなるように、第３および第４回転数閾値Ｒｔｈ３，Ｒｔｈ４を設定することにより、第３および第４低回転期間Ｐ３，Ｐ４において洗濯重量の増加に起因するドラム吸込水分量の増加を抑制することができる。これにより、第３および第４低回転期間Ｐ３，Ｐ４において洗濯重量の増加に起因する乾燥効率の低下を抑制することができる。
【００９４】
〈第１送風量に応じた第３および第４回転数閾値の設定〉
実施形態２において、第３および第４回転数閾値Ｒｔｈ３，Ｒｔｈ４は、第１送風量が多くなるに連れて低くなるように設定されていてもよい。例えば、コントローラ７０は、第１送風量が多くなるに連れて第３および第４回転数閾値Ｒｔｈ３，Ｒｔｈ４が低くなるように、第１送風量に応じて第３および第４回転数閾値Ｒｔｈ３，Ｒｔｈ４を設定するように構成されていてもよい。
【００９５】
なお、上述のように、ドラム吸込空気の流量は、ドラム気流の流量だけでなく、送風機４０の送風量にも依存している。すなわち、ドラム気流の流量が多くなるに連れてドラム吸込空気の流量が多くなる傾向にあり、送風機４０の送風量が多くなるに連れてドラム吸込空気の流量が多くなる傾向にある。
【００９６】
また、第１送風量は、第３および第４低回転期間Ｐ３，Ｐ４のうち少なくとも一部の期間（この例では全期間）における送風機４０の送風量に対応している。すなわち、第１送風量が多くなるに連れて、第３および第４低回転期間Ｐ３，Ｐ４のうち少なくとも一部の期間（この例では全期間）における送風機４０の送風量が多くなる。
【００９７】
また、第３および第４回転数閾値Ｒｔｈ３，Ｒｔｈ４は、第３および第４低回転期間Ｐ３，Ｐ４におけるドラム１３の回転数の最高値にそれぞれ対応している。すなわち、第３および第４回転数閾値Ｒｔｈ３，Ｒｔｈ４が低くなるに連れて、第３および第４低回転期間Ｐ３，Ｐ４におけるドラム１３の回転数が低くなる。
【００９８】
したがって、第１送風量が多くなるに連れて第３および第４回転数閾値Ｒｔｈ３，Ｒｔｈ４が低くなるように、第３および第４回転数閾値Ｒｔｈ３，Ｒｔｈ４を設定することにより、第３および第４低回転期間Ｐ３，Ｐ４において送風機４０の送風量の増加に起因するドラム吸込空気の流量増加を抑制してドラム吸込水分量の増加を抑制することができる。これにより、第３および第４低回転期間Ｐ３，Ｐ４において送風機４０の送風量の増加に起因する乾燥効率の低下を抑制することができる。
【００９９】
〈洗濯乾燥機の消費電力〉
次に、実施形態２による洗濯乾燥機１０の消費電力について説明する。洗濯乾燥機１０の消費電力の総量は、ドラム１３の回転駆動に要する消費電力（具体的には、電動機２０の消費電力）と加熱器６０の消費電力とに依存している。すなわち、ドラム１３の回転駆動に要する消費電力（以下「ドラム消費電力」と記載）が多くなるに連れて洗濯乾燥機１０の消費電力の総量が多くなる傾向にある。また、加熱器６０の消費電力が多くなるに連れて洗濯乾燥機１０の消費電力の総量が多くなる傾向にある。
【０１００】
〈加熱制御による効果〉
実施形態２による洗濯乾燥機１０では、第５および第６低回転期間Ｐ５，Ｐ６のうち少なくとも一部の期間（この例では全期間）において加熱器６０が第１加熱量で加熱する。なお、第５および第６低回転期間Ｐ５，Ｐ６では、ドラム１３の回転数が比較的に低くなっているので、ドラム消費電力が比較的に低くなる傾向にある。そのため、第５および第６低回転期間Ｐ５，Ｐ６において、加熱器６０が第１加熱量で加熱して加熱器６０の消費電力が比較的に高くなったとしても、ドラム消費電力が比較的に低くなる傾向にあるので、洗濯乾燥機１０の消費電力の総量は多くなりにくい。したがって、第５および第６低回転期間Ｐ５，Ｐ６において、加熱器６０の加熱量を確保してドラム１３内における洗濯物の乾燥を適切に行うことができる。
【０１０１】
また、実施形態２による洗濯乾燥機１０では、第３高回転期間Ｐ３０において加熱器６０が第１加熱量よりも少ない第２加熱量で加熱する。なお、第３高回転期間Ｐ３０では、ドラム１３の回転数が比較的に高くなっているので、ドラム消費電力が比較的に高くなる傾向にある。したがって、第３高回転期間Ｐ３０において、加熱器６０の加熱量を第１加熱量よりも少ない第２加熱量にすることにより、ドラム消費電力の増加に起因する洗濯乾燥機１０の消費電力の総量の増加を抑制することができる。
【０１０２】
以上のように、第５および第６低回転期間Ｐ５，Ｐ６において加熱器６０の加熱量を確保してドラム１３内における洗濯物の乾燥を適切に行うことができるとともに、第３高回転期間Ｐ３０においてドラム消費電力の増加に起因する洗濯乾燥機１０の消費電力の総量の増加を抑制することができるので、乾燥運転における乾燥効率の低下を抑制しつつ洗濯乾燥機１０の消費電力の総量（特にピーク量）の増加を抑制することができる。
【０１０３】
〈洗濯重量に応じた第５および第６回転数閾値の設定〉
実施形態２において、第５および第６回転数閾値Ｒｔｈ５，Ｒｔｈ６は、洗濯重量が多くなるに連れて低くなるように設定されていてもよい。具体的には、図４に示されたステップＳＴ１３において、コントローラ７０は、洗濯重量が多くなるに連れて第５および第６回転数閾値Ｒｔｈ５，Ｒｔｈ６が低くなるように、洗濯重量に応じて第５および第６回転数閾値Ｒｔｈ５，Ｒｔｈ６を補正するように構成されていてもよい。
【０１０４】
なお、ドラム消費電力は、ドラム１３の回転数だけでなく、洗濯重量にも依存している。すなわち、ドラム１３の回転数が高くなるに連れてドラム消費電力が多くなる傾向にあり、洗濯重量が多くなるに連れてドラム消費電力が多くなる傾向にある。
【０１０５】
また、第５および第６回転数閾値Ｒｔｈ５，Ｒｔｈ６は、第５および第６低回転期間Ｐ５，Ｐ６におけるドラム１３の回転数の最高値にそれぞれ対応している。すなわち、第５および第６回転数閾値Ｒｔｈ５，Ｒｔｈ６が低くなるに連れて、第５および第６低回転期間Ｐ５，Ｐ６におけるドラム１３の回転数が低くなる。
【０１０６】
したがって、洗濯重量が多くなるに連れて第５および第６回転数閾値Ｒｔｈ５，Ｒｔｈ６が低くなるように、第５および第６回転数閾値Ｒｔｈ５，Ｒｔｈ６を設定することにより、第５および第６低回転期間Ｐ５，Ｐ６において洗濯重量の増加に起因するドラム消費電力の増加を抑制して洗濯乾燥機１０の消費電力の総量の増加を抑制することができる。
【０１０７】
〈第１加熱量に応じた第５および第６回転数閾値の設定〉
実施形態２において、第５および第６回転数閾値Ｒｔｈ５，Ｒｔｈ６は、第１加熱量が多くなるに連れて低くなるように設定されていてもよい。例えば、コントローラ７０は、第１加熱量が多くなるに連れて第５および第６回転数閾値Ｒｔｈ５，Ｒｔｈ６が低くなるように、第１加熱量に応じて第５および第６回転数閾値Ｒｔｈ５，Ｒｔｈ６を設定するように構成されていてもよい。
【０１０８】
なお、上述のように、洗濯乾燥機１０の消費電力の総量は、ドラム消費電力と加熱器６０の消費電力とに依存している。すなわち、ドラム消費電力が多くなるに連れて洗濯乾燥機１０の消費電力の総量が多くなる傾向にあり、加熱器６０の消費電力が多くなるに連れて洗濯乾燥機１０の消費電力の総量が多くなる傾向にある。
【０１０９】
また、第１加熱量は、第５および第６低回転期間Ｐ５，Ｐ６のうち少なくとも一部の期間（この例では全期間）における加熱器６０の加熱量に対応している。すなわち、第１加熱量が多くなるに連れて、第５および第６低回転期間Ｐ５，Ｐ６のうち少なくとも一部の期間（この例では全期間）における加熱器６０の加熱量が多くなる。
【０１１０】
また、第５および第６回転数閾値Ｒｔｈ５，Ｒｔｈ６は、第５および第６低回転期間Ｐ５，Ｐ６におけるドラム１３の回転数の最高値にそれぞれ対応している。すなわち、第５および第６回転数閾値Ｒｔｈ５，Ｒｔｈ６が低くなるに連れて、第５および第６低回転期間Ｐ５，Ｐ６におけるドラム１３の回転数が低くなる。
【０１１１】
したがって、第１加熱量が多くなるに連れて第５および第６回転数閾値Ｒｔｈ５，Ｒｔｈ６が低くなるように、第５および第６回転数閾値Ｒｔｈ５，Ｒｔｈ６を設定することにより、第５および第６低回転期間Ｐ５，Ｐ６において加熱器６０の加熱量の増加に起因する加熱器６０の消費電力の増加を抑制することができる。これにより、第５および第６低回転期間Ｐ５，Ｐ６において加熱器６０の加熱量の増加に起因する洗濯乾燥機１０の消費電力の総量の増加を抑制することができる。
【０１１２】
〔その他の実施形態〕
なお、以上の説明では、第１，第３，第５回転数閾値Ｒｔｈ１，Ｒｔｈ３，Ｒｔｈ５が互いに異なる回転数に設定されている場合を例に挙げたが、第１，第３，第５回転数閾値Ｒｔｈ１，Ｒｔｈ３，Ｒｔｈ５は、互いに同一の回転数に設定されていてもよい。これと同様に、第２，第４，第６回転数閾値Ｒｔｈ２，Ｒｔｈ４，Ｒｔｈ６は、互いに異なる回転数に設定されていてもよいし、互いに同一の回転数に設定されていてもよい。
【０１１３】
また、以上の説明では、第３および第４回転数閾値Ｒｔｈ３，Ｒｔｈ４が互いに同一の回転数に設定されている場合を例に挙げたが、第３および第４回転数閾値Ｒｔｈ３，Ｒｔｈ４は、互いに異なる回転数に設定されていてもよい。これと同様に、第５および第６回転数閾値Ｒｔｈ５，Ｒｔｈ６は、互いに同一の回転数に設定されていてもよいし、互いに異なる回転数に設定されていてもよい。
【０１１４】
また、以上の説明では、水槽１２およびドラム１３の軸線が水平方向を向くように水槽１２およびドラム１３が支持されている場合を例に挙げたが、水槽１２およびドラム１３の軸線の向きは、水平方向に限定されない。例えば、水槽１２およびドラム１３は、その軸線が水平方向に対して傾斜する傾斜方向を向くように支持されていてもよい。
【０１１５】
また、以上の説明では、乾燥運転の洗濯動作において洗濯重量に応じた回転数閾値の設定（ステップＳＴ１３）が行われる場合を例に挙げたが、乾燥運転の洗濯動作において洗濯重量に応じた回転数閾値の設定（ステップＳＴ１３）が行われなくてもよい。
【０１１６】
また、以上の実施形態を適宜組み合わせて実施してもよい。以上の実施形態は、本質的に好ましい例示であって、この開示、その適用物、あるいはその用途の範囲を制限することを意図するものではない。
【産業上の利用可能性】
【０１１７】
以上説明したように、上述の洗濯乾燥機は、洗濯物を収容可能に構成されて回転可能に支持されたドラムを有する洗濯乾燥機として有用である。
【符号の説明】
【０１１８】
１０          洗濯乾燥機
１１          ケーシング
１２          水槽
１３          ドラム
２０          電動機
３０          循環ダクト
４０          送風機
５０          水冷除湿器
６０          加熱器
７０          コントローラ（制御部）
【図１】
2017121281.tif 000003
【図２】
2017121281.tif 000004
【図３】
2017121281.tif 000005
【図４】
2017121281.tif 000006
【図５】
2017121281.tif 000007
【図６】
2017121281.tif 000008